(57)【特許請求の範囲】
【請求項１】
現像済み写真フィルムの各画像コマを読み取る読取手段と、前記読み取られた前記各画像コマを、複数コマ以上の所定単位づつ順番に画面に表示させるモニター手段とを備え、表示された前記各画像コマに関する判定を行うことができるようにした写真処理装置において、
前記各画像コマについてプリントを行うか否かの情報を入力する入力手段と、
前記入力手段によって入力されたプリント不要の情報に基づき、前記画面に表示されるべき前記所定単位の前記画像コマがすべてプリント不要の設定となっている場合には、当該所定単位の前記画像コマの前記画面への表示を行わないようにする制御手段とを備えたことを特徴とする写真処理装置。
【請求項２】
前記所定単位の前記画像コマがすべてプリント不要であっても画面への表示を可能にする設定手段を備えたことを特徴とする請求項１に記載の写真処理装置。
【請求項３】
現像済み写真フィルムの各画像コマを読み取る工程と、各画像コマについてプリントを行うか否かの情報を入力しておく工程と、前記読み取られた前記各画像コマを、複数コマ以上の所定単位づつ順番にモニター画面に表示させる工程と、画面に表示された前記各画像コマに関する判定を行う工程とを有する写真処理方法において、
前記入力工程によって入力されたプリント不要の情報に基づき、前記画面に表示されるべき前記所定単位の前記画像コマがすべてプリント不要の設定となっている場合には、前記判定を行う工程において、当該所定単位の前記画像コマの前記画面への表示を行わないようにすることを特徴とする写真処理方法。
【発明の詳細な説明】
【０００１】
【発明の属する技術分野】
本発明は、現像済み写真フィルムの各画像コマを読み取る読取手段と、前記読み取られた前記各画像コマを所定単位づつ順番に画面に表示させるモニター手段とを備え、表示された前記各画像コマに関する判定を行うことができるようにした写真処理装置および写真処理方法に関するものである。
【０００２】
【従来の技術】
本発明は、特に写真処理装置におけるリオーダー( 焼き増し）処理の技術に関するものである。顧客から焼き増し処理の依頼があった場合は、写真店においては顧客から預かった現像済みネガフィルム (写真フィルムに相当する。) に関するプリントデータをプリントデータ入力装置を用いて入力する。プリントデータとは、例えば、プリントサイズ、焼き増し枚数、プリントの要否、フィルムのＩＤ等である。これらの入力データは、フロッピーディスク等の記憶媒体に記憶させ、このフロッピーディスクを写真処理装置に持ってきて、あらためて写真処理装置本体内にプリントデータを入力する。
【０００３】
一方、写真処理装置にはスキャナー等の読取手段が設けられており、顧客から預かった現像済みネガフィルムを所定の位置に装着して、読取手段により各画像コマを読み取りその各画像コマをモニター手段に表示させる。これは、画像コマをプリントする前にまずその画像コマをモニター手段に表示させて色や濃度が適切な状態でプリントできるか否かをオペレータにより判定するようにするためである。これを『プレジャッジ』と称することがある。
【０００４】
ここで読み取った画像コマをすべてモニター手段に表示させると、画像コマの大きさも小さくせざるを得ず、オペレータによる判定も行いにくい。そこで、所定単位の画像コマを例えばコマ番号の若い順に、順番に表示させるようにしている。例えば、４コマ単位、６コマ単位で順番に表示させる。６コマ単位で表示を行う場合には、モニター手段の画面に６コマ分の画像コマを表示させ、オペレータは必要であれば、色や濃度の補正データを入力する。補正データの入力が完了すると、次の６コマ分の画像コマを表示させて同じように補正データの入力を行い、これを繰り返す。
【０００５】
これらプレジャッジが終了した時点で、所定のプリントキー等を押すことにより画像コマのプリントを実際に行う。色・濃度の補正データを入力した画像コマに関しては補正データに基づいてプリントされるから、品質のよい写真プリントを作成することができる。
【０００６】
【発明が解決しようとする課題】
ところで、焼き増し処理においては、読み取られた画像コマのすべてをプリントすることは少なく、焼き増し処理を行うのは全画像コマのうちの一部の画像コマに過ぎない。したがって、プリントデータにはプリント要否のデータも入力されるようになっている。
【０００７】
上記のように、６コマ単位でモニター手段に表示させる場合には、表示させている６コマの画像コマのすべてがプリント不要ということもありうる。かかる場合には、すべてがプリント不要であるから、プレジャッジを行う必要はない。したがって、表示される全画像コマがプリント不要の場合は、次の６コマの画像コマを表示させるためのキー入力をする必要があり、無駄な操作が増えて写真処理の効率が低下する。
【０００８】
本発明は上記実情に鑑みてなされたものであり、その目的は、焼き増し処理を行う場合の処理効率を改善することのできる写真処理装置および写真処理方法を提供することである。
【０００９】
【課題を解決するための手段】
上記目的を達成するため本発明に係る写真処理装置は、現像済み写真フィルムの各画像コマを読み取る読取手段と、前記読み取られた前記各画像コマを、複数コマ以上の所定単位づつ順番に画面に表示させるモニター手段とを備え、表示された前記各画像コマに関する判定を行うことができるようにした写真処理装置において、前記各画像コマについてプリントを行うか否かの情報を入力する入力手段と、前記入力手段によって入力されたプリント不要の情報に基づき、前記画面に表示されるべき前記所定単位の前記画像コマがすべてプリント不要の設定となっている場合には、当該所定単位の前記画像コマの画面への表示を行わないようにする制御手段とを備えたことを特徴とするものである。
【００１０】
この構成による写真処理装置の作用・効果は以下の通りである。
（１）現像済み写真フィルムの各画像コマに関するプリントデータを入力する。このプリントデータにはプリントの要不要のデータが含まれる。
（２）現像済み写真フィルムの各画像コマをスキャナー等の読取手段により読み取る。なお、（１）と（２）の順序は逆でもよい。
（３）読み取られた画像コマを所定単位 (例えば６コマ) づつ順番にモニター手段に表示させる。
（４）オペレータは表示された画像コマを見て適切なプリントがなされるか否かを判定する。適切なプリントができないと判断した場合には、色・濃度の補正データを入力する。
【００１１】
（５）補正データの入力作業が終了すると次の所定単位の画像コマを画面に表示させる。そして、同様の判定・補正データの入力作業を行う。
（６）なお、モニター表示手段の表示されるべき所定単位の画像コマがすべてプリント不要の設定になっている場合には、画面への表示を行わずに、その次の所定単位の画像コマの表示に直ちに切り替わるようにする。
【００１２】
したがって、無駄なキー入力等の操作が減るので、焼き増し処理を行う場合の処理効率を改善することのできる写真処理装置を提供することができた。
なお、上記（６）における「画面への表示を行わない。」と言う概念には、きわめて短時間だけ画面への表示を行うと言う内容も含まれるものとする。
【００１３】
本発明の好適な実施形態として、前記所定単位の前記画像コマがすべてプリント不要であっても前記画面への表示を可能にする設定手段を備えたものがあげられる。
【００１４】
オペレータによっては、たとえ、表示される全画像コマがプリント不要であっても表示することを要望するようなケースもありうる。たとえば、プリント要否のデータ入力が正確だったか否かを確認するためである。そこで、設定手段を設けて、切り替えを可能にすることによりユーザーフレンドリーな写真処理装置とすることができる。
【００１５】
上記本発明の目的を達成するため本発明に係る写真処理方法は、現像済み写真フィルムの各画像コマを読み取る工程と、各画像コマについてプリントを行うか否かの情報を入力しておく工程と、前記読み取られた前記各画像コマを、複数コマ以上の所定単位づつ順番にモニター画面に表示させる工程と、画面に表示された前記各画像コマに関する判定を行う工程とを有する写真処理方法において、前記入力工程によって入力されたプリント不要の情報に基づき、前記画面に表示されるべき前記所定単位の前記画像コマがすべてプリント不要の設定となっている場合には、前記判定を行う工程において、当該所定単位の前記画像コマの前記画面への表示を行わないようにすることを特徴とするものである。
【００１６】
かかる構成を有する写真処理方法の作用・効果は、上記（１）〜（６）と同様である。したがって、無駄なキー入力等の操作が減るので、焼き増し処理を行う場合の処理効率を改善することのできる写真処理方法を提供することができた。
【００１７】
【発明の実施の形態】
本発明の好適な実施形態を図面を用いて説明する。図１は、写真処理装置の実施形態の構成を示す模式図である。
＜写真処理装置の全体構成＞
この写真処理装置は、写真フィルムの１例であるネガフィルム１の画像コマをペーパーマガジン３から引き出されたペーパー２に投影露光する投影露光部１０と、インデックスプリントを主に露光するデジタル露光ヘッド２０（デジタル露光部に相当する。）と、露光済みのペーパー２を現像処理する現像処理部１１及び乾燥する乾燥処理部１２と、装置の各部の作動を制御するコントローラ１３とを備えている。乾燥されたペーパー２は、１枚１枚の写真プリント２ａに切断された状態でプリント排出部２３から排出される。なお、この写真処理装置で取り扱うネガフィルム１は１３５タイプであれば、同時プリントの場合はカットされる前の長尺状であり、焼き増し処理の場合は４コマ又は６コマ毎にカットされたピースネガとなる。また、ＡＰＳによるネガフィルム１であれば、ネガフィルム１はカットされずにカートリッジ２４ (図１参照) に収納された状態で取り扱われる。本実施形態では、ＡＰＳによるネガフィルム１の焼き増し処理に関して説明する。
【００１８】
コントローラ１３（制御手段に相当する。）には、各種の制御指示を入力するためのキーボード１４と、画像コマの読取手段として機能するスキャナー１５（例えば、１次元のＣＣＤラインセンサーや２次元のエリアセンサーで構成される。）と、スキャナー１５により読み取った画像コマ情報を表示するモニター１６ (モニター手段に相当する。) と、フロッピーディスクＦが挿入・駆動されプリントデータを読み取るためのフロッピー駆動部２５ (入力手段に相当する。) とが接続されている。
【００１９】
投影露光部１０には、ネガフィルム１の搬送ユニットとして機能するネガキャリア１７と、露光用光源４と、露光用光路に、イエロー、シアン、マゼンタの各色のフィルタが出入りすることにより露光用光源４からの照射光の色バランスを調整する調光フィルタ５と、調光フィルタ５で色バランスを調整した光を均一に混色するミラートンネル６と、ネガフィルム１の画像コマをペーパー２上に結像する露光用レンズ７と、ネガフィルム１の画像コマをスキャナー１５の方向に導く反射ミラー８と、シャッター９と、ペーパー２を搬送する搬送ローラ１８と、搬送ローラ１８を駆動するモータ１９とを備えている。
【００２０】
また、露光用レンズ７と反射ミラー８とは１つのユニット２１になっており、このユニット２１全体が矢印Ａ方向に移動可能に構成されている。スキャナー１５により画像コマを読み取るときにはユニット２１を図１の右側に移動させ、反射ミラー８を光路中に臨ませるようにすれば良い。デジタル露光ヘッド２０は、例えばＰＬＺＴシャッターがペーパー２の幅方向に沿ってライン状に配列された構成のものや、その他ＣＲＴプリンタや、蛍光プリンタを用いても良い。デジタル露光ヘッド２０は、コントローラ１３によりその作動を制御され、図１の矢印Ｂ方向に相対移動することで１ライン毎にデジタル画像をペーパー２に露光することができる。
【００２１】
調光フィルタ５とシャッター９とはコントローラ１３により制御され、コントローラ１３が最終的に決定した露光条件に基づいて、調光フィルタ５の各フィルタの位置や、シャッター９の開放時間すなわち露光時間が制御されるようになっている。また、モータ１９はコントローラ１３の制御によってペーパー２をコマ送りの状態で搬送する。
【００２２】
処理を行うべきカートリッジ２４が、投影露光部１０にセットされたネガキャリア１７に挿入されると、カートリッジ２４から引き出されたネガフィルム１の画像コマを各コマ毎に順番にスキャナー１５により読み取り、その情報はコントローラ１３の記憶装置に送られて記憶される。コントローラ１３は、読み取られたネガフィルム１の画像コマをモニター１６にシミュレート画像コマとして表示することができる。
【００２３】
ネガキャリア１７には、複数の搬送ローラ２６が設けられており、所定の搬送経路に沿ってネガフィルム１を搬送する。また、露光光路には、マスクユニット２７が設けられており、このマスクユニット２７に形成された開口部に露光するべき画像コマが位置決めされるようになっている。このネガキャリア１７の作動もコントローラ１３により制御される。
【００２４】
＜制御ブロック図＞
次に、本実施形態にかかる写真処理装置の制御ブロック図を図２に示す。コントローラ１３は、写真処理装置の各部の作動を制御する機能を有するものであるが、図２ではその主要な機能のみが示されている。コントローラ１３は、ＣＰＵ等のハードウェアおよび各部の作動制御を行うためのプログラムを中核として構成されている。
【００２５】
表示制御部２８は、モニター１６に表示される表示画面の内容を制御するものである。キーボード１４には種種の情報を入力するためのキーが備えられている。プリントキー１４ａは、実際にプリント処理を実行開始するためのキーである。設定キー１４ｂ (設定手段に相当する。) は、モニター画面に表示されるべき画像コマが全部プリント不要の場合に、画面に表示させるか、或いは表示させないかを設定するためのモード設定キーである。補正データ入力キー１４ｃは、写真プリントを行うために必要な補正データを入力するためのキーである。切り換えキー１４ｄは、表示画面を切り換えるためのキーである。その他にも種種の機能を有するキーが備えられているが、本発明とは直接関係がないので説明を省略する。
【００２６】
プリントデータ入力装置３０は、ネガフィルム１の焼き増し処理を行う場合に必要なプリントデータを入力するために写真処理装置とは別個に設けられている装置である。プリントデータとは、焼き増し枚数、プリントサイズ、プリントの要否等焼き増し処理を行うために必要なデータのことである。データを入力するとフロッピーディスクＦに保存される。なお、記憶媒体としてはフロッピーディスクＦに限らず、ＣＲ−ＲＯＭ、ＭＯディスク等の他の種類のものを使用してもよい。
【００２７】
記憶装置２９は、フロッピー駆動部２５に挿入されたフロッピーディスクＦから読み取られたプリントデータを記憶するために設けられている。記憶装置２９としては、ハードディスクや半導体メモリ等が用いられる。
【００２８】
＜作動フローチャート＞
次に、焼き増し処理を行う場合の作動手順を説明する。図３は、全体の概略フローチャートである。
まず、写真店において顧客からカートリッジ２４に収納された状態のネガフィルム１の焼き増し処理を行うためのプリントデータを入力する。オペレータは、プリントデータ入力装置３０を用いて各画像コマについてのプリントデータを入力する（＃０１）。そして、フロッピーディスクＦをプリントデータ入力装置３０に装着して、入力したプリントデータを保存する。プリントデータの保存されたフロッピーディスクＦを今度は写真処理装置のフロッピー駆動部２５に装着する。そして、写真処理装置本体内の記憶装置２９にプリントデータを取り込み保存する。
【００２９】
次に、ネガキャリア１７に焼き増し処理を行うべきカートリッジ２４を装着する（＃０２）。カートリッジ２４が装着されると、その内部に収納されている現像済みネガフィルム１を引き出していき、各画像コマの読み取りをスキャナー１５により行う（＃０３）。そして、全画像コマの読み取りが終了したか否かを判定し（＃０４）、終了しておればモード設定を行う（＃０５）。
【００３０】
モード設定とは、例えば、モニター１６に表示させる画像コマの表示数を４コマモードにするか、６コマモードにするか、或いはその他のモードにするかを設定するものである。本説明では４コマモードにて説明する。また、表示される４コマ分の画像コマがすべてプリント不要になっている場合に、当該４コマ分の画像コマを画面に表示させるか否かの設定も行うことができる。モード設定は、キーボード１４の設定キー１４ｂの操作により行うことができる。
【００３１】
モード設定が終了するとプレジャッジ処理を行う（＃０６）。プレジャッジ処理は、画像コマをペーパー２にプリントする前にあらかじめモニター１６に表示させてオペレータによる色・濃度の判定を行う処理である。プレジャッジ処理のフローチャートを図４により説明する。
【００３２】
まず、全画像コマの判定を終了したか否かを判定し（＃１０）、終了していなければ、最初に (次に) 表示されるべき４コマ分の画像コマはすべてプリント不要か否かを判定する（＃１１）。プリント要否のデータは、プリントデータとして記憶装置２９に記憶されている。このような判定を行う理由は、表示される４コマの画像コマがプリント不要であれば、プレジャッジを行う必要もないと考えられるので、当該４コマについては画面表示を行わないようにして処理効率を改善しようとするものである。
【００３３】
ステップ＃１１にてＹｅｓであれば、ステップ＃１０に戻り、Ｎｏであれば次のステップ＃１２に進み、次の (最初の) ４コマ分の画像コマをモニター１６の画面に表示させる。この表示画面例を図５に示す。図５では、上段に２コマ下段に２コマの画像コマ５１が表示されている。この画像コマ５１は、スキャナー１５により読み取られたものである。
【００３４】
各画像コマ５１の下側に配置されたデータ表示領域５２には、スキャナー１５の測光値から求めた平均濃度値と、その画像コマ５１のコマ番号と、プリント枚数とが表示されている。また、各画像コマ５１の右側に配置されたデータ表示領域５３には、Ｙ，Ｍ，Ｃの各色に対するキーボード１４の補正データ入力キー１４ｃから入力された色補正値と濃度補正値が表示される。また、各画像コマ５１がペーパー２にプリントするときのタイプを表示するタイプ表示領域５４が設けられている。タイプ表示領域５４における、”Ｃ”はクラシックタイプ、”Ｐ”はパノラマタイプ、”Ｈ”はハイビジョンタイプを示すものである。また、画面の左上の画像コマ５１の左上肩部には『パス』の表示がされている。これは、この画像コマ５１はプリント不要であることを示している。
【００３５】
オペレータは、画面を見ながら適切な色・濃度でプリントが作成されるか否かを判定する（＃１３）。このままでは適切なプリントが作成できない、つまり、色や濃度の補正が必要と判断した場合には（＃１４）、補正データの入力を行う（＃１５）。画面上でプリントが必要とされている画像コマ５１の判定がすべて終了したら切り換えキー１４ｄにより次の表示画面に切り換えるようにするために、ステップ＃１０に戻り、１オーダー分の全画像コマ５１の判定を終了すると、プレジャッジ処理のサブルーチンから図３のメインルーチンに戻る。
【００３６】
プレジャッジ処理が終了すると、キーボード１４のプリントキー１４ａを押すとプリント処理を開始する（＃０７）。さきほど、補正データを入力した画像コマについては色・濃度が適切に補正されているので品質のよい写真プリントを作成することができる。
【００３７】
図４、５の実施形態では、画面に表示されるべき４コマ分の画像コマがすべてプリント不要の場合には、当該４コマ分の画像コマを表示させないようにしているが、オペレータの都合により、これを表示させるようにモード設定を行うこともできる。参考のため、すべての画像コマ５１がプリント不要の場合の表示例を図６に示す。図６に示すように、すべての画像コマ５１に『パス』という表示がされている。なお、このような画面を表示できるように選択することによりプリントデータの入力ミスの確認等を行うことができる。
【００３８】
＜別実施形態＞
（１）写真処理装置としては、ネガフィルムの画像コマを投影露光するアナログタイプでもよいし、スキャナーで読み取った画像データに基づいてデジタル画像を露光するデジタルタイプでもよい。
（２）モニター手段としては、ＣＲＴディスプレイ、液晶ディスプレイ、プラズマディスプレイ等適宜のものを採用することができる。
【００３９】
（３）本実施形態ではプリントデータ入力装置３０を写真処理装置とは別個に設けているが、これに代えて写真処理装置本体にプリントデータを直接入力するように構成してもよい。
（４）スキャナーを写真処理装置本体とは別体に設けてもよい。
【００４０】
（５）本実施形態では、表示されるべき画像コマがすべてプリント不要の場合は、画面表示を行わないようにしているが、これに代えて通常のプレジャッジを行う場合の表示時間に比べてきわめて短時間だけ画面表示を行うようにしてもよい。このようなきわめて短時間の表示も、本発明にいう「画面表示を行わない」と言う概念に含まれるものと定義する。
【図面の簡単な説明】
【図１】写真処理装置の構成を示す図
【図２】写真処理装置の制御ブロックを示す図
【図３】全体の作動フローチャート
【図４】プレジャッジ処理の作動フローチャート
【図５】表示画面を示す図
【図６】表示画面を示す図
【符号の説明】
１      ネガフィルム
１３    コントローラ
１４    キーボード
１４ｂ  設定キー
１５    スキャナー
２５    フロッピー駆動部
【図１】
0004258082.tif 000002
【図２】
0004258082.tif 000003
【図３】
0004258082.tif 000004
【図４】
0004258082.tif 000005
【図５】
0004258082.tif 000006
【図６】
0004258082.tif 000007